(57)【要約】【課題】  録画予約を行う作業は録画機に直接手入力で録画予約設定せねばならず煩わしい作業であった。また、デジタル放送では、番組予約のためにＥＰＧを経由して設定せねばならない煩わしさがあった。本発明では、上記のような視聴しているその場で録画予約を簡便に行うという視聴者のニーズを満たしうる番組予約の予約処理装置および受信端末を提供するものである。【解決手段】  放送波から分離されたデータ信号中に含まれる番組の予約に使用する情報を解析する情報解析部を有し、そこで解析抽出された番組に対応する固有のものであって、第２の番組の予約のために使用される第１の番組に関連付けられた予約コードを使用する。【選択図】    図１
2007129684.tif 000002
【特許請求の範囲】
【請求項１】
放送中の第１の番組の映像信号とは別に放送中の第１の番組に関連付けられた第２の番組の番組情報を含む放送波を受信する放送波受信部と、録画予約を要求する録画予約要求信号を検出する録画予約要求信号検出部と、該録画予約要求信号検出部が録画予約要求信号を検出したとき、前記放送受信部が受信する番組情報に基づいて前記第２の番組の録画を予約する録画予約処理部と、
を備えることを特徴とする予約処理装置。
【請求項２】
放送中の第１の番組の映像信号とは別に放送中の第１の番組に関連付けられた第２の番組の番組情報を含む放送波を受信する放送波受信部と、視聴予約を要求する視聴予約要求信号を検出する視聴予約要求信号検出部と、該視聴予約要求信号検出部が視聴予約要求信号を検出したとき、前記放送受信部が受信する番組情報に基づいて前記第２の番組の視聴を予約する視聴予約処理部と、
を備えることを特徴とする予約処理装置。
【請求項３】
放送中の第１の番組の映像信号とは別に放送中の第１の番組に関連付けられた第２の番組の番組情報を含む放送波を受信する放送波受信部と、録画予約を要求する録画予約要求信号を検出する録画予約要求信号検出部と、該録画予約要求信号検出部が録画予約要求信号を検出したとき、前記放送受信部が受信する番組情報に基づいて前記第２の番組の録画を予約するための予約情報を送信する録画予約情報送信部と、
を備えることを特徴とする予約処理装置。
【請求項４】
放送中の第１の番組の映像信号とは別に放送中の第１の番組に関連付けられた第２の番組の番組情報を含む放送波を受信する放送波受信部と、視聴予約を要求する視聴予約要求信号を検出する視聴予約要求信号検出部と、該視聴予約要求信号検出部が視聴予約要求信号を検出したとき、前記放送受信部が受信する番組情報に基づいて前記第２の番組の視聴を予約するための予約情報を送信する視聴予約情報送信部と、
を備えることを特徴とする予約処理装置。
【請求項５】
前記録画予約情報送信部は、通信回線に接続された録画装置に対して予約情報を送信することによって、該録画装置に予約を実行させる機能を有することを特徴とする請求項３に記載の予約処理装置。
【請求項６】
前記視聴予約情報送信部は、通信回線に接続された受信装置に対して予約情報を送信することによって、該受信装置に予約を実行させる機能を有することを特徴とする請求項４に記載の予約処理装置。
【請求項７】
前記番組情報は、番組に対応する固有の予約コードであることを特徴とする請求項１ないし６に記載の予約処理装置。
【請求項８】
電気通信網に、番組に対応する固有の予約コードを有するサーバが接続されており、
前記予約処理装置が前記電気通信網と送受信する網通信部を備え、
前記番組情報が、前記サーバのアドレス情報であることを特徴とする請求項１ないし６に記載の予約処理装置。
【請求項９】
ユーザが第１の番組を視聴している際に、ユーザからの前記要求信号を受信することで、前記第２の番組の予約処理を行うことを特徴とする請求項１または２に記載の予約処理装置。
【請求項１０】
映像信号および音声信号を含む放送波を受信する受信部を有する受信端末であって、請求項１または２の予約処理装置を有する受信端末。
【請求項１１】
放送中の第１の番組に関連付けられた第２の番組の番組情報を受信し、該番組情報に基づいて特定された第２の番組の録画を予約する録画装置。
【請求項１２】
前記第１の番組の放送中に録画予約要求信号が入力されたときに、前記番組情報に基づいて特定された第２の番組の録画を予約する請求項１１に記載の録画装置。
【請求項１３】
前記第１の番組の放送中に録画予約要求信号が入力されたときの第１の番組の放送時間とチャンネル情報に基づいて前記第２の番組を特定することを特徴とする請求項１１または１２に記載の録画装置。
【請求項１４】
放送中の第１の番組に関連付けられた第２の番組の番組情報を受信し、該番組情報に基づいて特定された第２の番組の受信と再生を予約するテレビジョン装置。
【請求項１５】
前記第１の番組の放送中に録画予約要求信号が入力されたときに、前記番組情報に基づいて特定された第２の番組の受信と再生を予約する請求項１４に記載のテレビジョン装置。
【請求項１６】
前記第１の番組の放送中に録画予約要求信号が入力されたときの第１の番組の放送時間とチャンネル情報に基づいて前記第２の番組を特定することを特徴とする請求項１４または１５に記載のテレビジョン装置。
【請求項１７】
放送中の第１の番組の映像信号とは別に放送中の第１の番組に関連付けられた第２の番組の番組情報を含む放映信号を送信する送信部を備えることを特徴とする送信装置。
【請求項１８】
前記番組情報は、番組に対応する固有の予約コードであることを特徴とする請求項１７に記載の送信装置。
【請求項１９】
前記番組情報は、電気通信網に接続された、番組に対応する固有の予約コードを有するサーバのアドレス情報であることを特徴とする請求項１７に記載の送信装置。
【発明の詳細な説明】
【技術分野】
【０００１】
本発明は、番組の録画予約、視聴予約に関するものであり、特に、デジタル放送受信機、アナログ放送受信機、録画機、テレビジョン装置、携帯電話機、パソコンなどに用いて好適なものである。
【背景技術】
【０００２】
従来からテレビ放送の番組を録画する強いニーズがあり、近年では、ＶＴＲに加えて、ＤＶＤレコーダ、ＨＤＤレコーダなどの録画機が商品化されている。このような録画機においては、その録画のための手順として、新聞などに掲載された番組一覧表を確認して、録画機に所望の番組のチャンネル情報、開始日時情報や終了日時情報、あるいは番組毎に割り振られたＧコードを直接手入力して録画予約を設定せねばならないため、大変煩雑なものであった。
【０００３】
斯かる煩雑な録画のための作業を軽減するため、アナログテレビ放送信号に重畳される番組一覧表情報を検出して記憶し、視聴者の要求に応じて、番組一覧表を表示し、視聴者がこの番組一覧表を参照して、若しくはこの番組一覧表を直接指定することによって、番組の録画予約を行う録画予約装置が開発され実用化されている。（特許文献１）。
【特許文献１】特開平６−１２４５０２号公報  また、近年実用化されているデジタル放送の場合においても、前述と同様の番組一覧表である通称ＥＰＧ（Electronic Program Guide；電子番組ガイド）をテレビジョン装置や録画装置が受信して、視聴者の要求の応じて、ＥＰＧを表示し、そのＥＰＧから所望の番組を指定することによって、視聴予約、あるいは録画予約（以下、両者併せて番組予約と称する）を設定できるので、前述の特許文献１の場合と同様に、視聴者はＥＰＧを利用することによって番組予約の煩雑さが軽減できる。
【発明の開示】
【発明が解決しようとする課題】
【０００４】
従来のテレビジョン装置や録画装置における番組予約では、ＥＰＧの採用により、その操作の煩雑さは軽減されてはいるものの、それでもなお、視聴者は、ＥＰＧが表示された上で、ＥＰＧの中から、所望の番組情報を選んで、指定する操作が必要となるため、さらに、これらの操作の軽減化を図ることが望まれている。  たとえば、視聴者が、テレビジョンの視聴中に予告ＣＭ（放送予定番組を宣伝するコマーシャルの事）を視聴していて、この放送予定番組を視聴したいと思った時に、その番組の録画予約をその場で簡単に行いたいというニーズがある。また、番組本編、次回予告などを視聴している際にその番組の次回放送や次回以降の連続放送番組について録画予約をその場で簡単に行いたいというニーズがある。
【０００５】
しかしながら、かかる従来技術では録画予約のために録画機へ直接手入力したり、ＥＰＧを使用する場合であっても、前述の如く、ＥＰＧを表示させて所望の番組を探した上で、指定しなければならない煩雑さを回避することができなかった。  そこで本発明では、上記のような、番組予告などを視聴しているその場でその予告された番組等の録画予約を簡便に行いたいという視聴者のニーズを満たしうる番組予約の予約処理装置、受信端末、録画装置およびテレビジョン装置を提供するものである。
【課題を解決するための手段】
【０００６】
本発明に係る予約処理装置は、放送中の第１の番組の映像信号とは別に放送中の第１の番組に関連付けられた第２の番組の番組情報を含む放送波を受信する放送波受信部と、録画予約を要求する録画予約要求信号を検出する録画予約要求信号検出部と、該録画予約要求信号検出部が録画予約要求信号を検出したとき、前記放送受信部が受信する番組情報に基づいて前記第２の番組の録画を予約する録画予約処理部と、を備えることを特徴とする。
【０００７】
本発明に係る別の予約処理装置は、放送中の第１の番組の映像信号とは別に放送中の第１の番組に関連付けられた第２の番組の番組情報を含む放送波を受信する放送波受信部と、視聴予約を要求する視聴予約要求信号を検出する視聴予約要求信号検出部と、該視聴予約要求信号検出部が視聴予約要求信号を検出したとき、前記放送受信部が受信する番組情報に基づいて前記第２の番組の視聴を予約する視聴予約処理部と、を備えることを特徴とする。
【０００８】
さらに、本発明に係る予約処理装置は、放送中の第１の番組の映像信号とは別に放送中の第１の番組に関連付けられた第２の番組の番組情報を含む放送波を受信する放送波受信部と、録画予約を要求する録画予約要求信号を検出する録画予約要求信号検出部と、該録画予約要求信号検出部が録画予約要求信号を検出したとき、前記放送受信部が受信する番組情報に基づいて前記第２の番組の録画を予約するための予約情報を送信する録画予約情報送信部と、
を備えることを特徴とする。
【０００９】
本発明に係る別の予約処理装置は、放送中の第１の番組の映像信号とは別に放送中の第１の番組に関連付けられた第２の番組の番組情報を含む放送波を受信する放送波受信部と、視聴予約を要求する視聴予約要求信号を検出する視聴予約要求信号検出部と、該視聴予約要求信号検出部が視聴予約要求信号を検出したとき、前記放送受信部が受信する番組情報に基づいて前記第２の番組の視聴を予約するための予約情報を送信する視聴予約情報送信部と、
を備えることを特徴とする。
【００１０】
前記録画予約情報送信部は、通信回線に接続された録画装置に対して予約情報を送信することによって、該録画装置に予約を実行させる機能を有していてもよい。また、前記視聴予約情報送信部は、通信回線に接続された受信装置に対して予約情報を送信することによって、該受信装置に予約を実行させる機能を有していてもよい。
【００１１】
なお、前記番組情報は、番組に対応する固有の予約コードであってもよい。
【００１２】
また、電気通信網に、番組に対応する固有の予約コードを有するサーバが接続されており、前記予約処理装置が前記電気通信網と送受信する網通信部を備え、前記番組情報が、前記サーバのアドレス情報であってもよい。
【００１３】
さらに、ユーザが第１の番組を視聴している際に、ユーザからの前記要求信号を受信することで、前記第２の番組の予約処理を行ってもよい。
【００１４】
本発明には、映像信号および音声信号を含む放送波を受信する受信部を有する受信端末であって、上記の予約処理装置を有する受信端末であるものが含まれてよい。例えば、予約処理装置が組み込まれたLSIを使用した、録画機やテレビなどの受信端末が含まれる。さらに、前記受信部や前記予約処理装置が組み込まれたLSIを使用した携帯電話機や、前記受信部と前記予約処理装置が組み込まれたノートパソコンなどであってもよい。
【００１５】
本発明に係る録画装置は、放送中の第１の番組に関連付けられた第２の番組の番組情報を受信し、該番組情報に基づいて特定された第２の番組の録画を予約する。
【００１６】
上記において、前記第１の番組の放送中に録画予約要求信号が入力されたときに、前記番組情報に基づいて特定された第２の番組の録画を予約するものであってもよく、前記第１の番組の放送中に録画予約要求信号が入力されたときの第１の番組の放送時間とチャンネル情報に基づいて前記第２の番組を特定するものであってもよい。
【００１７】
本発明に係るテレビジョン装置は、放送中の第１の番組に関連付けられた第２の番組の番組情報を受信し、該番組情報に基づいて特定された第２の番組の受信と再生を予約する。
【００１８】
上記において、前記第１の番組の放送中に録画予約要求信号が入力されたときに、前記番組情報に基づいて特定された第２の番組の受信と再生を予約するものであってもよく、前記第１の番組の放送中に録画予約要求信号が入力されたときの第１の番組の放送時間とチャンネル情報に基づいて前記第２の番組を特定するものであってもよい。
【００１９】
前記第１の番組の放送中に録画予約要求信号が入力された時の第１の番組の放送時間とチャンネル情報に基づいて前記第２の番組を関連付けて検出することで、例えば、録画装置等に番組予約に関する情報群が存在する所在地（ＵＲＬなど）が内蔵されている場合に、上述の所在地から、検出された前記第２の番組に対応する番組予約情報をアクセスしてもよい。
【００２０】
なお、番組特定情報は、放送中の放送番組に関連付けられた、個別に番組を特定する情報であり、特定の地域での特定の期間の特定の時間帯における視聴可能な番組を表などの形式で一括して表示するＥＰＧ（電子番組表）から得られる、番組を特定する情報とは異なる。
【００２１】
本発明に係る送信装置は、放送中の第１の番組の映像信号とは別に放送中の第１の番組に関連付けられた第２の番組の番組情報を含む放映信号を送信する送信部を備えることを特徴とする。
【００２２】
前記番組情報は、番組に対応する固有の予約コードであってよい。
【００２３】
前記番組情報は、電気通信網に接続された、番組に対応する固有の予約コードを有するサーバのアドレス情報であってよい。
【００２４】
なお、第１の番組と第２の番組とで、チャンネルが異なっていてもよい。また、それらが多重されている放送波や使用されるトランスポンダ、メディア等が異なっていてもよい。
【００２５】
放送には、インターネット放送が含まれ、インターネット放送には、インターネット通信網を使用し番組表に従って番組やＣＭを放送する形態だけでなく、ストリーミング放送等の形態も含まれる。
【００２６】
通信回線とは、有線や無線による電気通信回線又は電話回線網を含む。
【発明の効果】
【００２７】
本発明は、放送中の第１の番組に関連付けられた第２の番組の番組情報を受信し、該番組情報に基づいて特定された第２の番組の予約処理を行うものであるので、視聴者がＥＰＧや新聞の番組一覧表などを用いて予約を所望する第２の番組を探して指定することなく第２の番組の予約を実現できる。
【００２８】
また、本発明によれば、番組予告など（第１の番組）を視聴しているその場でその予告された番組など（第２の番組）の録画予約を簡便に行いたいという視聴者のニーズを満たしうる番組予約の予約処理装置、デジタルテレビ受信機やセットトップボックス、携帯電話機、パソコンなどの受信端末、録画装置およびテレビジョン装置を提供できる。
【００２９】
例えば、予告ＣＭを視聴していて、その予告内容の番組を視聴したいと思った時に、その番組の録画予約をその場で簡便に行いたいといったケース、番組本編、次回予告などを視聴している際にその番組の次回放送について録画予約をその場で簡便に行いたいケース、連続放送番組を視聴している際に次回以降の放送の録画予約を行いたいといったケースにおいて、視聴者のニーズを満たすことができる。
【００３０】
さらに、前記録画予約情報送信部や視聴予約情報送信部が、通信回線に接続された録画機の録画や受信機の視聴を予約する機能を有していることで、例えば、外出していてデジタル放送受信機能を有した携帯電話機等でデジタル放送を視聴している場合でも、該携帯電話機の録画予約処理部の前記機能により、当該携帯電話機から自宅に設置された前記有線又は無線による電気通信回線又は電話回線網に接続された録画機や受信機に対して番組予約要求することで、先に述べた場合と同様に、予告ＣＭの予告内容の番組を視聴したいと思った時に、その番組の番組予約をその場で簡便に行いたいといったケース、番組本編、次回予告などを視聴している際にその番組の次回放送について番組予約をその場で簡便に行いたいケース、連続放送番組を視聴している際に次回以降の放送の番組予約を行いたいといったケースにおいて、視聴者のニーズを満たすことができる。
【００３１】
本発明の意義ないし効果は、以下に示す実施の形態の説明により更に明らかとなろう。
【００３２】
ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００３３】
以下、本発明における番組予約の実施の形態につき図面を参照して説明する。なお、本発明の実施形態においては、第１の番組を視聴中に第１の番組に関連付けられた情報を用いて第２の番組の番組予約を行う場合を例に挙げて説明しており、第１の番組にはＣＭが含まれるものとする。具体的には、以下の実施形態では、第１の番組は放送予定番組の予告ＣＭのことであり、第２の番組は当該放送予定番組のことである。
【００３４】
なお、放送には、インターネット放送が含まれ、インターネット放送には、インターネット通信網を使用し番組表に従って番組やＣＭを放送する形態だけでなく、ストリーミング放送等の形態も含まれることは従来周知である（例えば、特開平１１−１９６３４５号公報参照）。
（実施形態１）
実施形態１について説明する。
【００３５】
図１に実施形態１に係る機能ブロック図を示す。
【００３６】
１はデジタル放送（ＢＳ、ＣＳなどの衛星放送、地上波放送、ＣＡＴＶ放送など）またはアナログ放送（地上波放送、ＣＡＴＶ放送など）の放送局、２は受信者宅である。
【００３７】
受信者宅２において、５はＴＶ、プロジェクタ、スピーカ等の映像音声出力装置、３は予約設定時刻となったら所望のチャンネルにチューニングする予約受信機能付チューナ、４は予約コード取得装置、６はビデオデッキなどの予約機能付きの録画装置、７は視聴者が予約コード取得装置４や映像音声出力装置５、録画装置６などに使用するリモコンである。なお、チューナ３と予約コード取得装置４は一体化されてＳＴＢ（セットトップボックス）となっている場合が多い（図１破線囲み内部）。また、チューナ３及び予約コード取得装置４は映像音声出力装置５が一体化されたチューナ内蔵ＴＶや、チューナ３及び予約コード取得装置４、映像音声出力装置５と録画装置６が一体化されたビデオ付きＴＶである場合であってもよい。
【００３８】
予約コード取得装置４は、予約コード信号分離部４０１、予約コード解析部４０２、予約情報一時記憶部４０３、予約コード送信部４０４、視聴／録画予約要求受付部４０５を含む。
【００３９】
次に図１における、データの流れについて説明する。
【００４０】
放送局１から番組やＣＭ等のコンテンツの映像信号、音声信号や、これらに多重化されたデータ情報、データ放送番組、管理情報などの含まれる放送波が送出される。なお、データ放送番組や管理情報などの映像信号や音声信号以外をまとめてデータ放送データと呼ぶ。また、同図においては放送局１から受信者宅間の放送波の伝送は地上波放送の様に図示されているが、衛星放送の場合、ＣＡＴＶの場合も含む。つまり、衛星放送の場合は衛星を中継し、ＣＡＴＶの場合はファイバーケーブルを経由する。さらに、実施形態１ないし３ではデジタル放送波の場合で説明するが、地上アナログ放送波においてブランキング信号部分にデータを重畳する場合であってもよい（たとえば、ＡＤＡＭＳ［Asahi Data And Multimedia Service］放送など）。
【００４１】
データ放送には、いわゆる独立系データ放送と、ＴＶ番組に関連付けられたデータ放送（番組連動型データ放送）とが存在し、各々にデータ放送番組が存在する。独立系データ放送では、ラジオ番組や天気予報番組、株価情報番組などが視聴できる。また、番組に関連付けられたデータ放送では、例えば歌番組を視聴中に視聴者がリモコンを操作することで、出演中の歌手の情報や次回予告など番組に連動した情報を見ることができるなど、番組に連動したデータ放送が視聴できる。
【００４２】
本実施形態では、データ放送データ中に番組予約に使用する情報として、番組に対応する固有の予約コードが含まれる。予約コードは、所謂独立系データ放送ではなく、例えばＴＶ番組に関連付けられたデータ放送のデータ中に含まれる。予約コードは番組視聴予約や番組録画予約に使用されるが、本実施形態では、主に番組の録画予約に使用される場合で説明する。
【００４３】
本実施形態では、番組の予告ＣＭの間に、または番組本編放映時にリモコンの予約ボタンを押すことで、上述の放送波に多重化された予約コードを使用して、予約コードに対応した番組の録画の予約操作を簡便に行なうものである。
【００４４】
予約コードはある番組（第１の番組）に関連付けられた番組（第２の番組）の予約に使用するデータではあるが、予約される番組（第２の番組）はある番組（第１の番組）とは別の番組である。例えば、番組の予告ＣＭに関連付けられた予約コードは、当該番組の予告ＣＭの録画予約に使用されるものではなく、予告ＣＭで紹介された番組（当該番組の予告ＣＭ自体とは別番組である）の録画予約に使用されるものである。また、番組本編に関連付けられた予約コードは、当該番組本編の録画予約に使用されるものではなく、当該番組で予告される次回分やシリーズで複数回放映される番組（毎日放送される番組、毎週放送される番組、毎月放送される番組、など）の次回以降分（当該番組本編自体とは別番組である）の録画予約に使用されるものである。
【００４５】
データの流れについての説明に戻る。放送局１から送出された放送波は視聴者宅２に到達し、アンテナからチューナ３へ取り込まれる。チューナで復号された信号は予約コード取得装置４へ出力される。
【００４６】
ここで、予約コード取得装置４内のデータの流れについて説明する。なお、予約コードに関わる箇所の説明であり、他の番組視聴用などに使用されるデータの流れは省略する。
【００４７】
予約コード取得装置４では、予約コード信号分離部４０１で映像、音声信号が分離（デマルチプレックス）されて予約コード解析部４０２へデータ放送等の情報が出力される。予約コード解析部４０２では、番組名や放映開始日時、放映終了日時、チャンネルナンバー、放送形態（１回放送、複数回放送、シリーズ放送など）、録画の可否、視聴料金など予約番組に関する情報が解析の結果取出され、予約コードと共に予約情報一時記憶部４０３へ記憶される。一方、視聴者がリモコン７の予約ボタンを押した場合に、視聴／録画予約要求受付部４０５がその視聴者の録画の予約要求（録画予約要求信号）を受け付ける。視聴／録画予約要求受付部４０５が録画予約要求を受け付けた場合に、視聴者が現在視聴している番組やＣＭに関連付けられている（当該番組や当該ＣＭではない、その番組の次回放送や、それらが予告する番組に関する）予約情報一時記憶部４０３へ記憶された予約番組に関する情報、予約コードが予約コード送信部４０４へ読み出され、録画装置６へ送信される。予約コードは必要があれば録画装置６毎に応じたコードに変換される。なお、予約コード送信部４０４から録画装置６への送信手段として、例えば赤外線通信や有線通信が使用される。
【００４８】
なお、関連付けられた予約コードが存在する予告ＣＭなどが映像音声出力装置５に出力されている際に、後述のような予約コードが含まれていることを示すマークやテキスト等の表示を同時に出力することにより、視聴者は予告ＣＭなどを視聴している際に、リモコン７の予約ボタンを押すだけで、当該予告された番組の録画予約を済ませることができる。
【００４９】
同図中の予約コード送信部４０４からチューナ３への信号は、予約受信機能付チューナ３へ予約設定時間、所望チャンネルを設定するために使用される。また、録画装置６がチューナを内蔵していない場合は、予約された番組の録画を開始する際に当該番組へチューニングするのにも使用される。
【００５０】
なお、上述した一連の処理や判断などは図示しないプロセッサなどで実行される。
【００５１】
次に、図２のフローチャートを使用して動作を説明する。なお同図では、番組が開始された時点からのフローであり、予約コードを使用した録画予約にかかる動作のみを表している。
【００５２】
ステップＳ１００では、チューナ３でチューニングされ、放送波が受信される。
【００５３】
ステップＳ１０１では、予約コード信号分離部４０１において、チューナ３から出力された信号から音声、映像信号が分離されて映像音声出力装置５に送出される一方、
データ放送信号も分離され予約コード解析部４０２へ送出される。
【００５４】
ステップＳ１０２では、後述の予約操作準備が行われる。
【００５５】
ステップＳ１０３では、視聴／録画予約要求受付部４０５において、リモコンからの予約要求を受信したか判断が行われる。リモコンからの予約要求を受信した場合はステップＳ１０４へ移行し、リモコンからの予約要求を受信しなかった場合はステップＳ１０８へ移行する。
【００５６】
ステップＳ１０４では、後述の視聴者による予約操作が行われる。
【００５７】
ステップＳ１０５では、後述のステップＳ１０４８、ステップＳ１０５２で次回以降の番組などが予約実施ＯＮとなっているかどうかの判断が行われる。予約実施ＯＮとなっている場合はステップＳ１０６へ移行し、予約実施ＯＮとなっていない場合はステップＳ１０８へ移行する。
【００５８】
ステップＳ１０６では、予約コード送信部４０４から録画装置６へ予約コードが送出される。
【００５９】
ステップＳ１０７では、予約動作を完了する。
【００６０】
ステップＳ１０８では、当該番組を視聴中の視聴者から録画予約の要求が来るので、当該番組が終了したかどうかの判断が行われる。例えば、ある番組の予告ＣＭを視聴中の視聴者がその予告している番組の録画予約を要求しているので、そのＣＭに関連付けられた予約コードを使用せねばならないため、当該ＣＭが終了したかの判断が重要である。
【００６１】
番組が終了した場合は当該フローを終了し、終了していない場合はステップＳ１００へ戻り、一連のループを繰り返す。
【００６２】
次に予約操作準備のフローについて、図３のフローチャートを使用して動作を説明する。
【００６３】
ステップＳ１０１からステップＳ１０２０へ移行する。
【００６４】
ステップＳ１０２０では、予約コード解析部４０２において番組名などの予約番組に関する情報と予約コードが解析の結果取出される。
【００６５】
ステップＳ１０２１では、ステップＳ１０２０で予約コード等が取出されたかの確認を行う。予約コードが取出された場合はステップＳ１０２２へ移行し、予約コードが取出されていない場合はステップＳ１０２０へ戻る。
【００６６】
ステップＳ１０２２では、番組名などの予約番組に関する情報と予約コードが予約情報一時記憶部４０３へ記憶される。
【００６７】
ステップＳ１０２３では、予約コード解析部４０２で取出された録画の可否の情報に従って、録画が許可されているか否かの判断が行われる。かかる判断により、例えば、映画会社等のコンテンツホルダの著作権上の問題で、録画が許可されていないものの録画を阻止するためである。このように、全ての番組は視聴予約可能ではあるが、番組によっては録画予約が許可されないものがあるので、これに対応する必要がある。なお、録画予約可能な番組は、勿論、録画予約を可能とし、かつ視聴予約も可能とする。
【００６８】
ステップＳ１０２３において、録画が許可されている場合はステップＳ１０２４へ移行し、録画が許可されていない場合はステップＳ１０２５へ移行する。
【００６９】
ステップＳ１０２４では、録画予約が可能であるので、録画予約可能かつ視聴予約可能を表すマークを映像出力装置の例えば画面上方に表示する。
【００７０】
ステップＳ１０２５では、録画が許可されていないので、視聴予約は可能である事を表すマークを映像出力装置の例えば画面上方に表示する。
【００７１】
ステップＳ１０２４、ステップＳ１０２５における表示例を図４に示す。同図（ａ）には視聴予約可能を表すＶマーク、同図（ｂ）には録画予約可能を表すＲマークが、映像音声出力装置５の画面の右上方に表示されている。ステップＳ１０２４、ステップＳ１０２５からはステップＳ１０３へ移行する。
【００７２】
なお、ステップＳ１０２３ないしステップＳ１０２５は、予約番組に関する情報と予約コードの予約情報一時記憶部４０３への一時記憶のタイミングが、現在映像音声出力装置５で視聴されている番組と同時刻又は直前の場合であるケースの説明である。もし一時記憶のタイミングが関連付けられた番組（第１の番組）よりもかなり前になされる場合、すなわち放送波中の予約番組に関する情報と予約コードの時間的位置が第１の番組よりもかなり前である場合には、ステップＳ１０２３において、該当する予約番組に関する情報と予約コードを時刻情報等を基に整合性よく読み出してくる必要がある。
【００７３】
次に視聴者による予約操作のフローについて、図５のフローチャートを使用して動作を説明する。
【００７４】
ステップＳ１０３からステップＳ１０４０へ移行する。
【００７５】
ステップＳ１０４０では、予約操作を行うためのアプリケーションが開始される。例えば、視聴者が操作し易いようにＧＵＩメニューなどによって実施される。次にステップＳ１１１へ移行する。
【００７６】
ステップＳ１１１では、後述のように当該予約作業において視聴予約を行うのか、録画予約を行うのかについて、視聴者に選択を促す。次にステップＳ１０４１へ移行する。
【００７７】
ステップＳ１０４１では、番組が有料放送かどうかの判断がなされる。有料放送の場合はステップＳ１０４２へ移行し、有料放送で無い場合はステップＳ１０４４へ移行する。
【００７８】
ステップＳ１０４２では、有料放送であるので、受信するのかどうかの確認がなされる。例えば、テレビ画面などに有料である旨の表示をし、視聴者に受信するか否かの入力を促す表示を行う。
【００７９】
ステップＳ１０４３では、視聴者が有料放送を受信することを承諾したか否かの判断を行う。視聴者が承諾した場合はステップＳ１０４４へ移行し、視聴者が承諾しなかった場合は有料放送の視聴ができないことから録画予約は不可能となるのでステップＳ１０５３へ移行する。
【００８０】
ステップＳ１０４４では、番組の放送形式の判断を行う。番組には１回だけの放映のもの、毎日または毎週シリーズで放映されるもの、日にちと時間を変えて同じ番組が複数回放送されるものがある。番組の放送形式が複数回放送されるものの場合はステップＳ１０４５へ移行し、番組の放送形式が１回だけの放映のもの、またはシリーズで放映されるもの場合はステップＳ１０４６へ移行する。
【００８１】
ステップＳ１０４５では、同じ内容の番組が同じような時期に複数回放送される場合なので、視聴者がどの番組を録画予約することを希望しているのかを視聴者に選択を要求し、視聴者の選択結果の入力を促す。録画予約したい複数の番組が同じ日時にあたる場合もあるので、視聴者に不自由を与えないように、この場合も視聴者に選択を要求し、視聴者の選択結果の入力を促す。
【００８２】
ステップＳ１０４６、Ｓ１０４７では、以上の手順により設定された番組予約を本当に行うのかどうかの確認を行う。ステップＳ１０４６でその旨の表示を行い、S１０４７で視聴者に録画予約を行うか入力をしてもらう。録画予約を行う場合はステップＳ１０４８へ移行し、録画予約を行わない場合はステップＳ１０５３へ移行する。
【００８３】
ステップＳ１０４８では、予約実施を行うので、例えば設定レジスタなどに予約実施ＯＮをセットする。
【００８４】
ステップＳ１０４９では、２回目の番組の放送形式の判断を行う。番組の放送形式がシリーズで放映されるものの場合はステップＳ１０５０へ移行し、番組の放送形式が１回だけの放映のものの場合は予約設定が終了したのでステップＳ１０５３へ移行する。
【００８５】
ステップＳ１０５０、Ｓ１０５１では、シリーズ放送の次回以降の分を予約録画するかどうかの確認を行う。ステップＳ１０５０でその旨の表示を行い、S１０５１で視聴者に録画予約を行うか入力をしてもらう。録画予約を行う場合はステップＳ１０５２へ移行し、番組予約を行わない場合はステップＳ１０５３へ移行する。
【００８６】
ステップＳ１０５２では、シリーズ放送の次回以降の分を予約録画するので、それらの番組について、例えば設定レジスタなどに予約実施ＯＮをセットする。
【００８７】
ステップＳ１０５３では、一連の録画予約作業が終了したので、ＧＵＩメニュー表示を消去し終了動作を行う。その後ステップＳ１０５へ移行する。
【００８８】
次に、視聴予約を行うのか録画予約を行うのかを視聴者に選択を促すフローについて、図６のフローチャートを使用して動作を説明する。
【００８９】
ステップＳ１０４０からステップＳ１１１０へ移行する。
【００９０】
ステップＳ１１１０では、予約情報一時記憶部４０３へ一時記憶した情報から録画が可能かどうか判断する。録画可能な場合はステップＳ１１１２へ移行し、録画不可能の場合はステップＳ１１１１へ移行する。
【００９１】
ステップＳ１１１１では、録画予約は不可能ではあるが視聴予約は可能であるので、視聴予約のみ可能である旨の表示（テキスト）を映像音声出力装置５に出力する。
【００９２】
ステップＳ１１１２では、録画予約が可能であるので、録画予約が可能である旨の表示（テキスト）を映像音声出力装置５に出力する。
【００９３】
なお、ステップＳ１０２４、ステップＳ１０２５、ステップＳ１０９４において録画予約可能、視聴予約可能であるマークを表示したが、このマークによる視聴者への通知と、ステップＳ１１１１、ステップＳ１１１２でのテキストによる視聴者への通知の意味合いは異なる。前者は、番組視聴中に視聴者にリモコン７の予約ボタンを押下させる注意を喚起し、予約処理トランザクションに移行する意味合いであるのに対し、後者は実際にどの予約を行うかを明示する意味合いである。
【００９４】
ステップＳ１１１３では、録画予約が可能であるので、視聴者が録画予約を行うのか、視聴予約を行うのかを視聴者に選択を要求するための表示を行う。
【００９５】
ステップＳ１１１４では、視聴者が録画予約を選択した場合はステップＳ１１１５へ移行し、視聴予約を選択した場合はステップＳ１１１６へ移行する。
【００９６】
ステップＳ１１１５では、録画予約を行うのでその旨を映像音声出力装置５に出力し、ステップＳ１０４１へ移行する。
【００９７】
ステップＳ１１１６では、視聴予約を行うのかどうかを視聴者に選択させ、視聴者が視聴予約を行う場合はステップＳ１１１７へ移行し、視聴予約を行わない場合はステップＳ１１１８へ移行する。
【００９８】
ステップＳ１１１７では、視聴予約を行うのでその旨を映像音声出力装置５に出力し、視聴予約操作メニュー（録画予約に準ずる処理なので説明せず）へ移行する。
【００９９】
ステップＳ１１１８では、視聴予約を行わないので予約操作を取り消す旨を映像音声出力装置５に出力し、ステップＳ１０５３へ移行する。
【０１００】
ステップＳ１１１１、ステップＳ１１１２における表示例を図７に示す。同図（ａ）には視聴予約できる旨、同図（ｂ）には録画予約及び視聴予約ができる旨のテキストが、映像音声出力装置５の画面の右上方に表示されている。なお、画面の右下方には「録画予約を行う」、「視聴予約を行う」、「予約操作取消」の、ステップＳ１１１４、ステップＳ１１１６の分岐にかかる選択画面が表示されている。
（実施形態２）
実施形態２について説明する。ここでは、実施形態１との異なる点について主に説明する。
【０１０１】
図８に実施形態２に係る機能ブロック図を示す。図１に記載されているものは図８にも同じ符号を付してあり、それらについては内容説明は図１の場合と同じであるので省略する。
【０１０２】
８は番組予約情報取得装置であり、図１の予約コード取得装置４に対応するものである。なお、チューナ３と番組予約情報取得装置８は一体化されてＳＴＢとなっている場合が多い（図８破線囲み内部）。１０は例えばインターネットなどの電気通信回線上の接続されている番組予約情報配信サーバである。
【０１０３】
番組予約情報取得装置８は、アクセス情報信号分離部８０１、アクセス情報解析部８０２、アクセス情報一時記憶部８０３、番組予約情報要求部８０４、番組予約情報取得部８０５を含む。
【０１０４】
次に図８における、データの流れについて説明する。
【０１０５】
本実施形態では、データ放送データ中に番組予約に使用する情報として、番組と一対一に対応したアクセス情報（番組予約情報配信サーバのＵＲＬなどのアドレス情報）が含まれる。アクセス情報は、所謂独立系データ放送ではなく、例えばＴＶ番組に関連付けられたデータ放送のデータ中に含まれる。アクセス情報は番組視聴予約や番組録画予約に使用されるが、本実施形態では、主に番組の録画予約に使用される場合で説明する。
【０１０６】
本実施形態では、番組の予告ＣＭの間に、または番組本編放映時にリモコンの予約ボタンを押すことで、上述の放送波に多重化されたアクセス情報を使用して、アクセス情報に対応した番組の録画の予約操作を簡便に行なうものである。
【０１０７】
アクセス情報はある番組に関連付けられた予約に使用するデータではあるが、予約される番組は別の番組である。例えば、番組の予告ＣＭに関連付けられたアクセス情報は、当該番組の予告ＣＭの録画予約に使用されるものではなく、予告ＣＭで紹介された番組（当該番組の予告ＣＭ自体とは別番組である）の録画予約に使用されるものである。また、番組本編に関連付けられたアクセス情報は、当該番組本編の録画予約に使用されるものではなく、当該番組で予告される次回分やシリーズで複数回放映される番組の次回以降分（当該番組本編自体とは別番組である）の録画予約に使用されるものである。
【０１０８】
データの流れについての説明に戻る。ここでは、番組予約情報取得装置８内のデータの流れについて説明する。なお、アクセス情報に関わる箇所のみの説明であり、他の番組視聴用などに使用されるデータの流れは省略する。
【０１０９】
番組予約情報取得装置８では、アクセス情報信号分離部８０１で映像、音声信号が分離されてデータ放送等の情報がアクセス情報解析部８０２へ出力される。アクセス情報解析部８０２では、番組予約情報配信サーバのＵＲＬなどが解析の結果取出され、アクセス情報一時記憶部８０３へ記憶される。
【０１１０】
一方、視聴者がリモコンの予約ボタンを押した場合に、視聴／録画予約要求受付部４０５がその視聴者の録画予約要求を受け付ける。視聴／録画予約要求受付部４０５が録画予約要求を受け付けた場合に、視聴者が現在視聴している番組やＣＭに関連付けられている（当該番組や当該ＣＭではない、その番組の次回放送や、それらが予告する番組に関する）アクセス情報一時記憶部８０３へ記憶された番組予約情報配信サーバ１０のＵＲＬ（具体的には番組予約情報配信サーバ１０に存在する番組情報のＵＲＬ）などが番組予約情報要求部８０４へ読み出され、インターネットなどを通じて番組予約情報配信サーバ１０へ送信される。このことにより、番組予約情報配信サーバ１０に当該番組の番組予約情報を送信する要求する。
【０１１１】
番組予約情報配信サーバ１０は、前述のようにインターネットなどに接続されており、視聴者が録画要求した番組と一対一に対応した予約コードや、番組名、放映開始日時、放映終了日時、チャンネル情報、放送形態、録画の可否、視聴料金など予約番組に関する情報（番組予約情報）が蓄積されている。ずなわち、前出のアクセス情報中の番組予約情報配信サーバのＵＲＬは該当する情報のアドレスを表すものである。番組予約情報配信サーバ１０は、番組予約情報送信要求により、番組予約情報を番組予約情報取得装置８へ送信する。
【０１１２】
番組予約情報取得部８０５は、番組予約情報配信サーバ１０から送信された番組予約情報を受信し、その中の予約コード送信部４０４へ送出する。予約コードは録画装置６へ送信される。これは実施形態１と同じである。
【０１１３】
同図中の予約コード送信部４０４からチューナ３への信号は、予約受信機能付チューナ３へ予約設定時間、所望チャンネルを設定するために使用される。また、録画装置６がチューナを内蔵していない場合は、予約された番組の録画を開始する際に当該番組へチューニングするのにも使用される。
【０１１４】
次に、図９のフローチャートを使用して動作を説明する。なお、図２とほぼ同じフローとなるので、異なる点のみ説明する。図９も番組が開始された時点からのフローである。
【０１１５】
ステップＳ１０１からステップＳ１０９へ移行する。
【０１１６】
ステップＳ１０９では、後述の予約操作準備が行われ、ステップＳ１０３へ移行する。
【０１１７】
ステップＳ１０３において、リモコンからの予約要求を受信した場合はステップＳ１０３からステップＳ１１０へ移行する。
【０１１８】
ステップＳ１１０では、番組予約情報要求部８０４から番組予約情報配信サーバ１０に対して該当番組の予約コードなどの番組予約情報を送信する様要求し、番組予約情報取得部８０５において受信される。次にステップＳ１０４へ移行する。なお、実施形態２における予約操作のフローでは、図５を、ステップＳ１０３からステップＳ１０４０への移行を、ステップＳ１１０からステップＳ１０４０への移行に読み替えて使用する。
【０１１９】
次に予約操作準備のフローについて、図１０のフローチャートを使用して動作を説明する。なお、視聴者による予約操作のフローは実施形態１と同じであるので、説明を省略する。
【０１２０】
ステップＳ１０１からステップＳ１０９０へ移行する。
【０１２１】
ステップＳ１０９０では、アクセス情報解析部８０２において番組予約情報配信サーバのＵＲＬなどのアクセス情報が解析の結果取出される。
【０１２２】
ステップＳ１０９１では、ステップＳ１０９０でアクセス情報が取出されたかの確認を行う。アクセス情報が取出された場合はステップＳ１０９２へ移行し、予約コードが取出されていない場合はステップＳ１０９０へ戻る。
【０１２３】
ステップＳ１０９２では、アクセス情報がアクセス情報一時記憶部８０３へ記憶される。
【０１２４】
ステップＳ１０９３では、サーバ上の情報を取出し可能かどうかの確認を行う。情報取出可能な場合はステップＳ１０９４へ移行し、取出せない場合はステップＳ１０８へ移行する。
【０１２５】
ステップＳ１０９４では、サーバ上の情報が取出し可能であるので、録画予約や視聴予約が可能である事を表すマークを映像出力装置の例えば上方に表示する。ステップＳ１０３へ移行する。
【０１２６】
以上のように、実施形態２が実施形態１と異なる点はステップＳ１０２の代わりにステップＳ１０９を実行する点と、ステップＳ１１０の実行が存在する点である。
（実施形態３）
実施形態３について説明する。ここでは、実施形態１、２との異なる点について主に説明する。
【０１２７】
図１１に実施形態２に係る機能ブロック図を示す。図１、図８に記載されているものは図１１にも同じ符号を付してあり、それらについては内容説明は図１、図８の場合と同じであるので省略する。
【０１２８】
９は簡易番組予約情報取得装置であり、図８の番組予約情報取得装置８に対応するものである。なお、チューナ３と簡易番組予約情報取得装置９は一体化されてＳＴＢとなっている場合が多い（図１１破線囲み内部）。
【０１２９】
簡易番組予約情報取得装置９は、映像音声信号分離部９０１、時刻情報取得部９０２を含む。
【０１３０】
次に図１１における、データの流れについて説明する。
【０１３１】
本実施形態では、番組予約に使用する情報として、データ放送データ中に存在する時刻補正用情報、例えばＴＯＴ（Time Offset Table）を使用する。以下では、主に番組の録画予約の場合で説明をし、番組視聴予約については省略する。
【０１３２】
本実施形態では、簡易番組予約情報取得装置９（またはそれからなるＳＴＢ。以下では、ＳＴＢと呼ぶ）に番組予約情報を有する番組予約情報配信サーバのＵＲＬを内蔵しており、ストリーム（放送波）中には番組予約情報が含まれない場合である。視聴者の番組録画予約要求の際には、当該内蔵されたＵＲＬを使用して番組予約情報を入手するので、実施形態１、２の様なストリームの内容の変更を要せず、現行のままで対応可能であるので、実施形態２と比較して送信側（放送局１など）の対応変更を必要としないといった利点がある。なお、番組の予告ＣＭの間に、または番組本編放映時にリモコン７の予約ボタンを押すことで、上述の放送波に多重化された情報（予約情報）を使用して、当該情報に対応した番組の録画の予約操作を簡便に行なうという点は実施形態１、２と同様である。
【０１３３】
ただし、本実施形態では送信側とＳＴＢの時刻（システムクロックなど）の同期が精度よくとれていないと、誤った番組予約情報を取得してしまうおそれがあるので、例えばＴＯＴなどの時刻補正用情報を使用する。
【０１３４】
データの流れについての説明に戻る。ここでは、簡易番組予約情報取得装置９内のデータの流れについて説明する。なお、アクセス情報に関わる箇所のみの説明であり、他の番組視聴用などに使用されるデータの流れは省略する。
【０１３５】
簡易番組予約情報取得装置９では、映像音声信号分離部９０１で映像、音声信号が分離されてＴＯＴなどの時刻補正用情報が時刻情報取得部９０２へ出力される。時刻情報取得部９０２では、ＴＯＴなどの情報をもとにＳＴＢの時刻を補正する。これにより、番組予約情報要求部８０４で使用される時刻も送信側と精度よく同期をとれたものとすることができる。
【０１３６】
なお、実施形態３にかかるフローチャートは図１２で表される。同図は、実施形態２における図９のステップＳ１０９の実行がない点がまず異なっている。
【０１３７】
また、本実施形態では、ステップＳ１１０の実行内容が実施形態２の場合と比べて違っている。本実施形態では、番組予約情報配信サーバ１０のＵＲＬを内蔵していて既知であるので、どの番組を視聴していてもリモコン７の予約ボタンを押下することで番組予約情報配信サーバ１０に対して時刻情報やチャンネル情報を要求できるので、番組予約情報配信サーバ１０に番組予約情報が存在しないこともある。番組予約情報配信サーバ１０から予約情報を取得する際に番組情報の存在の判断を要する点で実施形態２とは異なるからである。これについて図１３を用いて説明する。
【０１３８】
ステップＳ１１０１では、番組予約情報要求部８０４から番組予約情報配信サーバ１０に対して該当番組の予約コードなどの番組予約情報を送信する様要求する。
【０１３９】
ステップＳ１１０２では、番組予約情報を取得可能かどうか判断する。これは、視聴者が番組予約情報を有しない番組においてリモコンのボタンを押下した場合には、録画予約可能な番組ではないため、当該録画予約を実行できないからである。この場合とは、例えば、視聴者が誤ってリモコンのボタンを押下した場合や、番組予告のＣＭがちょうど切り替わった時に視聴者がリモコンのボタンを押下した場合などが考えられる。
【０１４０】
番組予約情報が取得可能な場合はステップＳ１１０３へ移行し、番組予約情報が取得可能でない場合はステップＳ１１０４へ移行する。
【０１４１】
ステップＳ１１０３では、番組予約情報が取得可能なので、番組予約情報が番組予約情報取得部８０５において受信される。その後、ステップＳ１０４へ移行する。
【０１４２】
ステップＳ１１０４では、番組予約情報が取得可能でないので、番組予約情報が取得できない旨を映像音声出力装置５に表示する。その後、ステップＳ１０８へ移行し、当該予約動作を終了する。
【０１４３】
以上のように、実施形態３が実施形態２と異なる点はステップＳ１１０における実行内容が異なる点とステップＳ１０９の実行が存在しない点である。
【０１４４】
最後に、実施形態２、３において使用する番組予約情報配信サーバ１０のデータマップの一例を図１４に示す。
【０１４５】
同図の行方向において、ＣＭ放映開始日時は予告ＣＭ番組の放映開始日時（分、秒を含む場合もあり）の情報、ＣＭ放映終了日時は予告ＣＭ番組の放映終了日時（分、秒を場合もあり）の情報を表す。実施形態３では、このＣＭ放映開始日時、ＣＭ放映終了日時等を使用して検索を行う。放映チャネルは予告ＣＭで紹介された予告対象番組が放映されるチャネル情報、番組タイトルは予告対象番組の番組名を表す。
【０１４６】
放映開始日時は予告対象番組の放映開始日時（分、秒を場合もあり）の情報を表す。複数回放送番組の場合は当該日時を複数格納しており、また定期放送番組の場合は最も直近の未来の放映開始時刻を表す。放映終了日時は予告対象番組の放映終了日時（分、秒を場合もあり）の情報を表す。複数回放送番組の場合は当該日時を複数格納しており、また定期放送番組の場合は最も直近の未来の放映終了時刻を表す。
【０１４７】
放送形態は予告対象番組の放送形態、すなわち「１回だけ」、「複数回放送」、「シリーズ放送」の情報を、録画可否は予告対象番組の録画の可否に関する情報（録画可、録画不可）を、視聴料金は予告対象番組の視聴料金に関する情報（無料、有料、具体的な値段、など）を表す。同図の列方向には、上述の各情報が予告対象番組毎に格納されている。
【０１４８】
以上の説明においては、録画予約要求信号が入力されたときに、放送中の第１の番組に関連付けられた第２の番組の番組情報を受信し、該番組情報に基づいて特定された第２の番組の予約を行う場合について、例示したが、請求項７の発明においては、上記の予約要求の入力を必要とせずとも、放送中の第１の番組に関連付けられた第２の番組の番組情報を受信し、該番組情報に基づいて特定された第２の番組の録画を予約する録画装置もまた権利範囲とするものであり、その実施形態は、上記の各実施形態のフローチャートにおいて、ステップＳ１０３のリモコンからの予約要求が常にＹＥＳである場合に相当するものである。同様に、請求項１０の発明においては、上記の予約要求の入力を必要とせずとも、放送中の第１の番組に関連付けられた第２の番組の番組情報を受信し、該番組情報に基づいて特定された第２の番組の視聴を予約するテレビジョン装置もまた権利範囲とするものであり、その実施形態は、上記の各実施形態のフローチャートにおいて、ステップＳ１０３のリモコンからの予約要求が常にＹＥＳである場合に相当するものである。
【０１４９】
このような録画装置及びテレビジョン装置は、例えば予告番組を第１の番組としたとき、放送局側が予告を行う番組（第２の番組）とは、放送局側が推薦するほど興味深い番組であるとみなせるため、視聴者からの要求動作を要することなく、興味深い番組を自動的に予約処理することができる。なお、この場合、録画装置あるいはテレビジョン装置において、予約リストを作成しておけば、視聴者は予約処理の事後に、予約内容を確認でき、従来の録画装置と同様に、不要な番組があれば、予約リストから削除できる。
【０１５０】
以下の実施形態４〜６は、地上波デジタル放送を受信する機能を有した携帯電話機を使用して、自宅にある予約機能付き録画機や予約機能付きデジタルテレビ等の録画予約や視聴予約を行う形態である。実施形態４〜６では携帯電話機を使用した場合で説明するが、地上波デジタル放送を受信する機能が付加されたノートパソコンなどであってもよい。
【０１５１】
なお、以下の実施形態４〜６は、各々実施形態１〜３に対応する。
（実施形態４）
実施形態４では、地上波デジタル放送を受信する機能を有した携帯電話機において前出の固有の予約コードを抽出し、インターネット等の電気通信回線や携帯電話網等の電話回線を介して、自宅にある予約機能付き録画機や予約機能付きデジタルテレビ等に対して録画予約や視聴予約の指令を行う。ここでは、実施形態１との異なる点について主に説明する。
【０１５２】
図１５に実施形態４に係る機能ブロック図を示す。１はデジタル放送（地上波放送など）またはアナログ放送（地上波放送）の放送局、１００２ａは受信者の有する携帯電話機、１００２ｂは受信者の自宅である。受信者宅１００２ｂには、予約機能を有するビデオ録画機等の録画装置またはスピーカを有するＴＶ、プロジェクタ等の視聴装置である予約機能付録画装置／視聴装置１００６が存在する。なお、予約機能付録画装置／視聴装置１００６は、上記デジタル放送対応のチューナ等を有し、デジタル放送を受信して録画／視聴できる機能を有している。
【０１５３】
１００３はチューナであり実施形態１と異なり、予約受信機能を有している必要は無い。１００４は予約コード取得部、１００７は携帯電話機の操作ボタンで視聴者が予約の際に押下する。
【０１５４】
予約コード取得部１００４は、予約コード信号分離部１４０１、予約コード解析部１４０２、予約情報一時記憶部１４０３、予約コード送信部１４０４、視聴／録画予約要求受付部１４０５を含む。これら予約コード取得部１００４、予約コード信号分離部１４０１、予約コード解析部１４０２、予約情報一時記憶部１４０３、予約コード送信部１４０４、視聴／録画予約要求受付部１４０５は、図１の予約コード取得装置４、予約コード信号分離部４０１、予約コード解析部４０２、予約情報一時記憶部４０３、予約コード送信部４０４、視聴／録画予約要求受付部４０５に対応するが、異なる点が存在する機能部については、その異なる点について以下で説明する。
【０１５５】
予約コード信号分離部１４０１が予約コード信号分離部４０１と異なる点は、映像音声出力装置５に対してではなく携帯電話機に組み込まれた液晶画面やスピーカ（液晶画面／スピーカ１００５）に対して信号を送出する点である。よって、映像音声出力装置５へ信号を出力する場合のように、ＮＴＳＣ等に準拠した信号を出力することなどを要しない。
【０１５６】
予約コード送信部１４０４が予約コード送信部４０４と異なる点は、チューナに対して予約設定時間、所望チャンネルを設定する機能を有していない点と、インターネット（図示せず）を介して予約機能付録画装置／視聴装置１００６に予約コード等の予約情報（以下、予約コード）を送出する機能を有している点である。インターネットを介して予約機能付録画装置／視聴装置１００６に予約コードを送出する方法としては、例えばｅ−ｍａｉｌを利用するなど予約コードを対応するテキストデータに変換して送信する方法やＴＣＰ／ＩＰを用いて送信する方法などがある。
【０１５７】
視聴／録画予約要求受付部１４０５が視聴／録画予約要求受付部４０５と異なる点は、視聴者の操作ボタン１００７押下により視聴／録画予約要求を検出する点である。
【０１５８】
他の上述以外の構成部は図１５の場合と図１の場合と同様である。
【０１５９】
次に、本実施形態における動作フローについてであるが、動作フロー図は、以下の点について変更される以外は、図２、３、５、６と同じである。
【０１６０】
ステップＳ１０３では、視聴／録画予約要求受付部１４０５において操作ボタン１００７からの予約要求を受信したかの判断が行われる。操作ボタン１００７からの予約要求を受信した場合はステップＳ１０４へ移行し、リモコンからの予約要求を受信しなかった場合はステップＳ１０８へ移行する。
【０１６１】
ステップＳ１０６では、インターネットを介して予約機能付録画装置／視聴装置１００６へ予約コードが送出される。
【０１６２】
ステップＳ１０２４では、録画予約可能（かつ視聴予約可能）を表すマークを液晶画面１００５の例えば画面上方に表示する。ステップＳ１０２５では、視聴予約のみ可能であることを表すマークを液晶画面１００５の例えば画面上方に表示する。
【０１６３】
ステップＳ１１１１では、視聴予約のみ可能である旨の表示（テキスト）を液晶画面１００５に出力する。ステップＳ１１１２では、録画予約が可能（かつ視聴予約可能）である旨の表示（テキスト）を液晶画面１００５に出力する。なお、これらの表示と合わせて、番組情報もテキスト表示される。また、テキスト表示は、例えば映像画面上にオーバーレイ表示される。
【０１６４】
ステップＳ１１１５では、録画予約を行う旨を液晶画面１００５に出力する。ステップＳ１１１７では、視聴予約を行う旨を液晶画面１００５に出力し、視聴予約操作メニュー（説明せず）へ移行する。ステップＳ１１１８では、予約操作を取り消す旨を液晶画面１００５に出力する。
【０１６５】
図１６は、本実施形態におけるステップＳ１０２４とステップＳ１０２５、及びＳ１１１１とステップＳ１１１２の液晶画面１００５の表示例である。同図（ａ）にはステップＳ１０２５における視聴予約可能を表すＶマークが、同図（ｂ）にはステップＳ１０２４における録画予約可能を表すＲマークが、液晶画面１００５の画面の右上方に表示されている図が示されている。同図（ｃ）にはステップＳ１１１１における視聴予約できる旨のテキストが、同図（ｄ）にはステップＳ１１１２における録画予約及び視聴予約ができる旨のテキストが、液晶画面１００５の画面に表示されている図が示されている。なお、同図（ｃ）、（ｄ）において、画面の下方には、録画予約や視聴予約の選択を行うための、また予約操作取消の選択を行うための表示がされており、例えば各表示は、液晶画面１００５の下方の当該各表示の真下に位置するボタンに対応している。
（実施形態５）
実施形態５について説明する。ここでは、実施形態２との異なる点について主に説明する。
【０１６６】
本実施形態では、実施形態２と同様に、放送波に多重化されたアクセス情報を使用して番組予約情報配信サーバのＵＲＬなどを取得し、インターネットなどを通じて番組予約情報配信サーバ１０へアクセスし当該番組の番組予約情報を得ることで、視聴者が現在視聴している番組やＣＭに関連付けられた番組の録画予約をすることができる。
【０１６７】
なお、本実施形態では視聴者が携帯電話機の操作ボタンを押すことで録画予約等を行うので、以下の説明においては携帯電話機を使用する実施形態４で使用した機能ブロックなどを使用する。
【０１６８】
図１７に実施形態５に係る機能ブロック図を示す。これまでの図面に記載されているものと同じ符号番号の構成部については、前述の実施形態と同様であるため、説明を省略する。
【０１６９】
本実施形態５が前述の実施形態と異なる所は、番組予約情報取得部１００８にある。
【０１７０】
すなわち、番組予約情報取得部１００８は、アクセス情報信号分離部１８０１、アクセス情報解析部１８０２、アクセス情報一時記憶部１８０３、番組予約情報要求部１８０４、番組予約情報取得部１８０５を含む。これら番組予約情報取得部１００８、アクセス情報信号分離部１８０１、アクセス情報解析部１８０２、アクセス情報一時記憶部１８０３、番組予約情報要求部１８０４、番組予約情報取得部１８０５は、番組予約情報取得装置８、アクセス情報信号分離部８０１、アクセス情報解析部８０２、アクセス情報一時記憶部８０３、番組予約情報要求部８０４、番組予約情報取得部８０５に対応するが、異なる点が存在する機能部については、その異なる点について以下で説明する。
【０１７１】
アクセス情報信号分離部１８０１がアクセス情報信号分離部８０１と異なる点は、映像音声出力装置５に対してではなく携帯電話機に組み込まれた液晶画面やスピーカ（液晶画面／スピーカ１００５）に対して信号を送出する点である。よって、映像音声出力装置５へ信号を出力する場合のように、ＮＴＳＣ等に準拠した信号を出力することなどを要しない。
【０１７２】
次に、本実施形態における動作フロー図は、以下の点について変更される以外は、図９、１０と同じである。
【０１７３】
ステップＳ１０３では、視聴／録画予約要求受付部１４０５において操作ボタン１００７からの予約要求を受信したかの判断が行われる。操作ボタン１００７からの予約要求を受信した場合はステップＳ１１０へ移行し、リモコンからの予約要求を受信しなかった場合はステップＳ１０８へ移行する。
【０１７４】
ステップＳ１０６では、インターネットを介して予約機能付録画装置／視聴装置１００６へ予約コードが送出される。
【０１７５】
ステップＳ１０９４では、録画予約可能（かつ視聴予約可能）を表すマーク、または、視聴予約のみ可能であることを表すマークを液晶画面１００５の例えば画面上方に表示する。液晶画面１００５の表示例は、例えば図１６に示される例が考えられる。
【０１７６】
なお、視聴者による予約操作のフローは実施形態４と同じであるので、説明を省略する。
（実施形態６）
実施形態６について説明する。ここでは、実施形態３との異なる点について主に説明する。
【０１７７】
本実施形態では、実施形態３と同様に、番組予約に使用する情報として、データ放送データ中に存在する時刻補正用情報、例えばＴＯＴを使用する。すなわち、簡易番組予約情報取得装置１００９に番組予約情報を有する番組予約情報配信サーバのＵＲＬを内蔵しており、ストリーム（放送波）中には番組予約情報が含まれない場合である。なお、番組の予告ＣＭの間に、または番組本編放映時に携帯電話機の操作ボタン１００７の予約ボタンを押すことで、番組予約情報配信サーバにアクセスして、番組の録画の予約操作を簡便に行なう。
【０１７８】
なお、本実施形態では視聴者が携帯電話機の操作ボタンを押すことで録画予約等を行うので、以下の説明においては携帯電話機を使用する実施形態４で使用した機能ブロックなどを使用する。
【０１７９】
図１８に実施形態６に係る機能ブロック図を示す。これまでの図面に記載されているものと同じ符号番号の構成部についての内容説明は、これまでの場合と同じであるので省略するが、説明を必要とする場合のみ、その違いを踏まえて説明する。
【０１８０】
１００９は簡易番組予約情報取得部である。簡易番組予約情報取得部１００９は、映像音声信号分離部１９０１、時刻情報取得部１９０２を含む。これら簡易番組予約情報取得部１００９、映像音声信号分離部１９０１、時刻情報取得部１９０２は、簡易番組予約情報取得装置９、映像音声信号分離部９０１、時刻情報取得部９０２に対応するが、異なる点が存在する機能部については、その異なる点について以下で説明する。
【０１８１】
映像音声信号分離部１９０１が映像音声信号分離部９０１と異なる点は、映像音声出力装置５に対してではなく携帯電話機に組み込まれた液晶画面やスピーカ（液晶画面／スピーカ１００５）に対して信号を送出する点である。よって、映像音声出力装置５へ信号を出力する場合のように、ＮＴＳＣ等に準拠した信号を出力することなどを要しない。
【０１８２】
他の上述以外の構成部は図１８の場合と図１１の場合とで大きな違いは無い。
【０１８３】
次に、本実施形態における動作フローについてであるが、動作フロー図は、以下の点について変更される以外は、図１２、１３と同じである。
【０１８４】
ステップＳ１０３では、視聴／録画予約要求受付部１４０５において操作ボタン１００７からの予約要求を受信したかの判断が行われる。操作ボタン１００７からの予約要求を受信した場合はステップＳ１１０へ移行し、リモコンからの予約要求を受信しなかった場合はステップＳ１０８へ移行する。
【０１８５】
ステップＳ１０６では、インターネットを介して予約機能付録画装置／視聴装置１００６へ予約コードが送出される。
【０１８６】
ステップＳ１１０４では、番組予約情報が取得可能でないので、番組予約情報が取得できない旨を液晶画面１００５に表示する。液晶画面１００５の表示例は、例えば図１６に示される例が考えられる。
【０１８７】
なお、視聴者による予約操作のフローは実施形態４と同じであるので、説明を省略する。
【０１８８】
以下の実施形態７〜９は、地上波デジタル放送を受信する機能を有した携帯電話機において録画予約や視聴予約を行う形態である。携帯電話機に、例えばＨＤＤ（ハードディスクドライブ）を搭載することにより、映像コンテンツ等を大量に保存することが考えられている。このような場合、携帯電話機において地上波デジタル放送の録画を行うことが可能となる。実施形態７〜９は携帯電話機で録画予約、視聴予約を行う場合で説明するが、地上波デジタル放送を受信する機能が付加されたノートパソコンなどであってもよい。
【０１８９】
なお、以下の実施形態７〜９は、各々実施形態１〜３に対応する。
（実施形態７）
実施形態７では、地上波デジタル放送を受信する機能を有した携帯電話機において前出の固有の予約コードを抽出し、録画予約や視聴予約を行い、当該携帯電話機において録画予約により録画された番組や視聴予約された番組を視聴する。ここでは、実施形態１と異なる点について主に説明する。
【０１９０】
なお、本実施形態では視聴者が携帯電話機において番組視聴を行い、携帯電話機内部のＨＤＤに録画をする録画予約等を行うので、以下の説明においては携帯電話機を使用する実施形態４で使用した機能ブロックなどを使用する。
【０１９１】
図１９に実施形態７に係る機能ブロック図を示す。これまでの図面に記載されているものと同じ符号番号の構成部についての内容説明は、これまでの場合と同じであるので省略するが、説明を必要とする場合のみ、その違いを踏まえて説明する。
【０１９２】
２００２は受信者が視聴する携帯電話機である。２００３はチューナであり実施形態１と異なり、予約受信機能を有している必要は無い。また、チューナ２００３では予約コードの入力により、予約設定時間、所望チャンネルが設定される。
【０１９３】
２００４は予約コード取得部、２００６は後述の予約コード信号分離部２４０１で分離された画像・音声データを液晶画面／スピーカ１００５へ出力し、また録画（録音を含む。以下同じ。）の際には、ＨＤＤ等（図示せず）に対して当該画像・音声データを録画を行う録画部である。
【０１９４】
予約コード取得部２００４は、予約コード信号分離部２４０１、予約コード送信部２４０４を含む。これら予約コード取得部２００４、予約コード信号分離部２４０１、予約コード送信部２４０４は、図１の予約コード取得装置４、予約コード信号分離部４０１、予約コード送信部４０４、に対応する。
【０１９５】
予約コード信号分離部２４０１が予約コード信号分離部４０１や予約コード信号分離部１４０１と異なる点は、録画部２００６に対して画像、音声信号を送出する点であり、当該録画部２００６を通じて携帯電話機に組み込まれた液晶画面やスピーカ（液晶画面／スピーカ１００５）へ画像、音声信号を送出する点である。
【０１９６】
予約コード送信部２４０４が予約コード送信部１４０４と異なる点は、予約コードを出力することでチューナ１００３に予約設定時間、所望チャンネルを設定する機能を有している点である。なお、予約コード送信部４０４と異なる点は、
予約コード送信部４０４の場合は予約受信機能付チューナ３に予約設定時間、所望チャンネルを設定するタイミングが、リモコン７の予約ボタンが押されることによる視聴者の視聴／録画予約要求の時であるのに対し、予約コード送信部２４０４では前述のチューナ１００３に予約設定時間、所望チャンネルを設定するタイミング（予約コード送信部２４０４からの予約コード出力のタイミング）が視聴予約／録画予約した番組の開始時間直前である点である。
【０１９７】
他の上述以外の構成部は図１９の場合と図１および図１５の場合とで大きな違いは無い。
【０１９８】
次に、本実施形態における動作フローについて述べる。本実施形態における動作フローも実施形態４と同様に、実施形態４で述べた点について変更される以外は、図２、３、５、６と同じである。
（実施形態８）
実施形態８について説明する。ここでは、実施形態２との異なる点について主に説明する。
【０１９９】
本実施形態では、実施形態２と同様に、放送波に多重化されたアクセス情報を使用して番組予約情報配信サーバのＵＲＬなどを取得し、インターネットなどを通じて番組予約情報配信サーバ１０へアクセスし当該番組の番組予約情報を得ることで、視聴者が現在視聴している番組やＣＭに関連付けられた番組の録画予約をすることができる。
【０２００】
なお、本実施形態では視聴者が携帯電話機において番組視聴を行い、携帯電話機内部のＨＤＤに録画をする録画予約等を行うので、以下の説明においては携帯電話機を使用する実施形態４や実施形態５で使用した機能ブロックなどを使用する。
【０２０１】
図２０に実施形態８に係る機能ブロック図を示す。これまでの図面に記載されているものと同じ符号番号の構成部についての内容説明は、これまでの場合と同じであるので省略するが、説明を必要とする場合のみ、その違いを踏まえて説明する。
【０２０２】
２００８は番組予約情報取得部である。番組予約情報取得部２００８は、アクセス情報信号分離部２８０１を含む。これら番組予約情報取得部２００８、アクセス情報信号分離部２８０１は、番組予約情報取得装置８、アクセス情報信号分離部８０１に対応するが、異なる点が存在する機能部については、その異なる点について以下で説明する。
【０２０３】
アクセス情報信号分離部２８０１がアクセス情報信号分離部８０１やアクセス情報信号分離部１８０１と異なる点は、録画部２００６に対して画像、音声信号を送出する点であり、当該録画部２００６を通じて携帯電話機に組み込まれた液晶画面やスピーカ（液晶画面／スピーカ１００５）へ画像、音声信号を送出する点である。
【０２０４】
他の上述以外の構成部は図２０の場合と図８および図１７の場合とで大きな違いは無い。
【０２０５】
次に、本実施形態における動作フローについて述べる。本実施形態における動作フローも実施形態５と同様に、実施形態５で述べた点について変更される以外は、図９、１０と同じである。
【０２０６】
なお、視聴者による予約操作のフローは実施形態７と同じであるので、説明を省略する。
（実施形態９）
実施形態９について説明する。ここでは、実施形態３との異なる点について主に説明する。
【０２０７】
本実施形態では、実施形態３と同様に、番組予約に使用する情報として、データ放送データ中に存在する時刻補正用情報、例えばＴＯＴを使用する。すなわち、簡易番組予約情報取得装置１００９に番組予約情報を有する番組予約情報配信サーバのＵＲＬを内蔵しており、ストリーム（放送波）中には番組予約情報が含まれない場合である。なお、番組の予告ＣＭの間に、または番組本編放映時に携帯電話機の操作ボタン１００７の予約ボタンを押すことで、番組予約情報配信サーバにアクセスして、番組の録画の予約操作を簡便に行なう。
【０２０８】
なお、本実施形態では視聴者が携帯電話機において番組視聴を行い、携帯電話機内部のＨＤＤに録画をする録画予約等を行うので、以下の説明においては携帯電話機を使用する実施形態４や実施形態６で使用した機能ブロックなどを使用する。
【０２０９】
図２１に実施形態９に係る機能ブロック図を示す。これまでの図面に記載されているものと同じ符号番号の構成部についての内容説明は、これまでの場合と同じであるので省略するが、説明を必要とする場合のみ、その違いを踏まえて説明する。
【０２１０】
２００９は簡易番組予約情報取得部である。簡易番組予約情報取得部２００９は、
映像音声信号分離部２９０１を含む。これら簡易番組予約情報取得部２００９、映像音声信号分離部２９０１は、簡易番組予約情報取得装置９、映像音声信号分離部９０１に対応するが、異なる点が存在する機能部については、その異なる点について以下で説明する。
【０２１１】
映像音声信号分離部２９０１が映像音声信号分離部９０１や映像音声信号分離部１９０１と異なる点は、録画部２００６に対して画像、音声信号を送出する点であり、当該録画部２００６を通じて携帯電話機に組み込まれた液晶画面やスピーカ（液晶画面／スピーカ１００５）へ画像、音声信号を送出する点である。
【０２１２】
他の上述以外の構成部は図２１の場合と図１１および図１８の場合とで大きな違いは無い。
【０２１３】
次に、本実施形態における動作フローについて述べる。本実施形態における動作フローも実施形態６と同様に、実施形態６で述べた点について変更される以外は、図１２、１３と同じである。
【０２１４】
なお、視聴者による予約操作のフローは実施形態７と同じであるので、説明を省略する。
【０２１５】
上記では、ＳＴＢや録画機、携帯電話を用いた実施形態について例示したが、これに限られない。また、放送波を使用した受信形態で説明したが、これに限られない。例えば、インターネット通信網を使用し番組表に従って番組やＣＭを放送する形態や、ストリーミング放送等の形態であってもよい。この形態では、いわゆるインターネットテレビや、インターネットに接続されるＳＴＢ、録画機などが使用される。
【０２１６】
録画機能を搭載したインターネットテレビの実施形態について例示するが、この実施形態は上記実施形態１〜９から同様に推察することが出来る。図１、８、１１等は機能ブロック図であるので、予約受信機能付きチューナ３の入力や番組予約情報要求部８０４の出力、番組予約情報取得部８０５の入力を入出力ポートを介して行うことができ、光ファイバやＡＤＳＬ等の電気通信回線を通じて放送側のサーバ等からの放送波（通信信号）を受信することで番組の受信等を達成することが出来る。データの流れや動作フロー等は上記実施形態で述べたことから容易に推察できるので、詳細な説明は省略する。
【０２１７】
本発明の実施の形態は、特許請求の範囲に示された技術的思想の範囲内において、適宜、種々の変更が可能である。
【図面の簡単な説明】
【０２１８】
【図１】実施形態１に係る機能ブロック図である。
【図２】実施形態１に係るフローチャートである。
【図３】実施形態１に係るフローチャートである。
【図４】実施形態１に係る表示例である。
【図５】実施形態１に係るフローチャートである。
【図６】実施形態１に係るフローチャートである。
【図７】実施形態１に係る表示例である。
【図８】実施形態２に係る機能ブロック図である。
【図９】実施形態２に係るフローチャートである。
【図１０】実施形態２に係るフローチャートである。
【図１１】実施形態３に係る機能ブロック図である。
【図１２】実施形態３に係るフローチャートである。
【図１３】実施形態３に係るフローチャートである。
【図１４】実施形態２、３に係る番組予約情報配信サーバ上のデータマップである。
【図１５】実施形態４に係る機能ブロック図である。
【図１６】実施形態４に係る表示例である。
【図１７】実施形態５に係る機能ブロック図である。
【図１８】実施形態６に係る機能ブロック図である。
【図１９】実施形態７に係る機能ブロック図である。
【図２０】実施形態８に係る機能ブロック図である。
【図２１】実施形態９に係る機能ブロック図である。
【符号の説明】
【０２１９】
１  放送局
４  予約コード取得装置
６  予約機能付録画装置
７  リモコン
８  番組予約情報取得装置
９  簡易番組予約情報取得装置
１０  番組予約情報配信サーバ
１００２ａ、２００２  携帯電話機
１００４、２００４  予約コード取得部
１００６  予約機能付録画装置／視聴装置
１００７  操作ボタン
１００８、２００８  番組予約情報取得部
１００９、２００９  簡易番組予約情報取得部
２００６  録画部
【図１】
2007129684.tif 000003
【図２】
2007129684.tif 000004
【図３】
2007129684.tif 000005
【図４】
2007129684.tif 000006
【図５】
2007129684.tif 000007
【図６】
2007129684.tif 000008
【図７】
2007129684.tif 000009
【図８】
2007129684.tif 000010
【図９】
2007129684.tif 000011
【図１０】
2007129684.tif 000012
【図１１】
2007129684.tif 000013
【図１２】
2007129684.tif 000014
【図１３】
2007129684.tif 000015
【図１４】
2007129684.tif 000016
【図１５】
2007129684.tif 000017
【図１６】
2007129684.tif 000018
【図１７】
2007129684.tif 000019
【図１８】
2007129684.tif 000020
【図１９】
2007129684.tif 000021
【図２０】
2007129684.tif 000022
【図２１】
2007129684.tif 000023